(57)【要約】  移動通信システムにおける基地局において、前記基地局に接続されるユーザ装置のデータ通信量を、当該ユーザ装置におけるベアラ毎に、当該ベアラのデータを伝送するキャリア毎に測定するデータ通信量測定手段と、前記移動通信システムにおけるデータ通信量管理装置から、データ通信量報告要求メッセージを受信し、当該データ通信量報告要求メッセージにおける要求に対応するデータ通信量を含むデータ通信量報告メッセージを作成し、当該データ通信量報告メッセージを前記データ通信量管理装置に送信するデータ通信量報告制御手段とを備える。
2017022388.tif 000002
【特許請求の範囲】
【請求項１】
移動通信システムにおける基地局であって、
前記基地局に接続されるユーザ装置のデータ通信量を、当該ユーザ装置におけるベアラ毎に、当該ベアラのデータを伝送するキャリア毎に測定するデータ通信量測定手段と、
前記移動通信システムにおけるデータ通信量管理装置から、データ通信量報告要求メッセージを受信し、当該データ通信量報告要求メッセージにおける要求に対応するデータ通信量を含むデータ通信量報告メッセージを作成し、当該データ通信量報告メッセージを前記データ通信量管理装置に送信するデータ通信量報告制御手段と
を備えることを特徴とする基地局。
【請求項２】
前記ユーザ装置のデータ通信量は、前記ユーザ装置が送信する上りデータの送信量、又は、前記基地局が前記ユーザ装置に送信する下りデータの送信量である
ことを特徴とする請求項１に記載の基地局。
【請求項３】
前記データ通信量報告要求メッセージは、ベアラ、ＲＡＴ種別、及びキャリアを指定する情報を含み、前記データ通信量報告制御手段は、指定されたベアラ、ＲＡＴ種別、及びキャリアについてのデータ通信量を含むデータ通信量報告メッセージを前記データ通信量管理装置に送信する
ことを特徴とする請求項１又は２に記載の基地局。
【請求項４】
前記ＲＡＴ種別は、ライセンスバンドを使用するＬＴＥ、アンライセンスバンドを使用するＬＴＥ、又は、無線ＬＡＮである
ことを特徴とする請求項３に記載の基地局。
【請求項５】
前記データ通信量報告要求メッセージは、データ通信量の報告要求の対象とするベアラを確立するためのメッセージであり、前記データ通信量報告メッセージは、当該ベアラの解放を通知するメッセージである
ことを特徴とする請求項１ないし４のうちいずれか１項に記載の基地局。
【請求項６】
移動通信システムにおけるデータ通信量管理装置であって、
前記移動通信システムにおける基地局に対し、当該基地局に接続されるユーザ装置におけるデータ通信量の報告を要求するデータ通信量報告要求メッセージを送信する送信手段と、
前記データ通信量報告要求メッセージを受信した前記基地局から、要求されたデータ通信量を含むデータ通信量報告メッセージを受信する受信手段と、を備え、
前記データ通信量報告要求メッセージは、少なくともベアラとキャリアを指定する情報を含み、前記データ通信量報告メッセージに含まれるデータ通信量は、前記指定されたベアラとキャリアについてのデータ通信量である
ことを特徴とするデータ通信量管理装置。
【請求項７】
前記データ通信量報告要求メッセージは、ベアラ、ＲＡＴ種別、及びキャリアを指定する情報を含み、前記受信手段は、指定されたベアラ、ＲＡＴ種別、及びキャリアについてのデータ通信量を含むデータ通信量報告メッセージを前記基地局から受信する
ことを特徴とする請求項６に記載のデータ通信量管理装置。
【請求項８】
前記データ通信量報告要求メッセージは、データ通信量の報告要求の対象とするベアラを確立するためのメッセージであり、前記データ通信量報告メッセージは、当該ベアラの解放を通知するメッセージである
ことを特徴とする請求項６又は７に記載のデータ通信量管理装置。
【請求項９】
移動通信システムにおける基地局が実行するデータ通信量報告方法であって、
前記基地局に接続されるユーザ装置のデータ通信量を、当該ユーザ装置のベアラ毎に、当該ベアラのデータを伝送するキャリア毎に測定するデータ通信量測定ステップと、
前記移動通信システムにおけるデータ通信量管理装置から、データ通信量報告要求メッセージを受信し、当該データ通信量報告要求メッセージにおける要求に対応するデータ通信量を含むデータ通信量報告メッセージを作成し、当該データ通信量報告メッセージを前記データ通信量管理装置に送信するデータ通信量報告ステップと
を備えることを特徴とするデータ通信量報告方法。
【請求項１０】
移動通信システムにおけるデータ通信量管理装置が実行するデータ通信量取得方法であって、
前記移動通信システムにおける基地局に対し、当該基地局に接続されるユーザ装置におけるデータ通信量の報告を要求するデータ通信量報告要求メッセージを送信する送信ステップと、
前記データ通信量報告要求メッセージを受信した前記基地局から、要求されたデータ通信量を含むデータ通信量報告メッセージを受信する受信ステップと、を備え、
前記データ通信量報告要求メッセージは、少なくともベアラとキャリアを指定する情報を含み、前記データ通信量報告メッセージに含まれるデータ通信量は、前記指定されたベアラとキャリアについてのデータ通信量である
ことを特徴とするデータ通信量取得方法。
【発明の詳細な説明】
【技術分野】
【０００１】
本発明は、移動通信システムにおいて、ユーザ装置に送信した下りデータの送信量及びユーザ装置から送信された上りデータの送信量を取得する技術に関連するものである。
【背景技術】
【０００２】
現状のＬＴＥ（ＬＴＥ−Ａｄｖａｎｃｅｄを含む）システムは、通信事業者に割り当てられたlicensedバンド（以降、ライセンスバンドと呼ぶ）で運用が行われている。一方、増加するユーザトラヒックを吸収する等のために、ライセンスバンド以外に利用可能なアンライセンススペクトラム（unlicensed spectrum）のバンド（これをアンライセンスバンド：unlicensed bandと呼ぶ）を利用して、ＬＴＥシステムの周波数を拡張することが検討されている（例えば非特許文献１）。【０００３】
ところで、ＬＴＥシステムでは、複数のコンポーネントキャリア（以下、ＣＣ）を同時に使用して通信を可能とするキャリアアグリゲーション（以下、ＣＡ）が導入されている。図１に示すように、ＬＴＥのＲｅｌ−１０までのＣＡでは、同一基地局ｅＮＢ配下の複数のセルを用いて同時通信を行うことで高スループットを実現することが可能である。ＣＡを構成する各セルは、下りのＣＣ、又は、下りのＣＣと上りのＣＣを有する。図１では、ＣＡを構成する各セルは上り下りの両方のＣＣを有し、各セルで上り下りの送信が可能である。【０００４】
一方、Ｒｅｌ−１２ではこれをさらに拡張し、異なる基地局ｅＮＢ配下のセルで同時通信を行い、高スループットを実現するDual connectivity（二重接続）が提案されている。Dual connectivityはＣＡの一種であり、Inter-eNB CA（基地局間キャリアアグリゲーション）とも呼ばれ、Master-eNB（ＭｅＮＢ）と、Secondary-eNB（ＳｅＮＢ）が導入される。Dual connectivityにおいて、ＭｅＮＢ配下のセル（１つ又は複数）で構成されるセルグループをＭＣＧ（Master Cell Group、マスターセルグループ）、ＳｅＮＢ配下のセル（１つ又は複数）で構成されるセルグループをＳＣＧ（Secondary Cell Group、セカンダリセルグループ）と呼ぶ。ＰＣｅｌｌはＭＣＧに設定される。また、ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（primary SCell）と呼ぶ。【０００５】
図２に、Dual connectivityの例を示す。図２の例では、基地局ＭｅＮＢがセル＃１でユーザ装置ＵＥと通信を行い、基地局ＳｅＮＢがセル＃２でユーザ装置ＵＥと通信を行うことでＣＡを実現している。【０００６】
Ｒｅｌ−１３では、ライセンスバンドとアンライセンスバンドの間でのキャリアアグリゲーションを行うことが検討されている。このように、ライセンスバンドとともにアンライセンスバンドを用いて行う通信をＬＡＡ（License-Assisted  Access）と称する。将来的にライセンスバンドとアンライセンスバンドのDual connectivityや、アンライセンスバンドのスタンドアローンもＬＡＡの検討対象となる可能性がある。
【先行技術文献】
【非特許文献】
【０００７】
【非特許文献１】RP-131701
【非特許文献２】3GPP TS 25.413 V7.7.0 (2007-09)
【非特許文献３】R2-151719，Running stage-2 CR
【非特許文献４】3GPP TS 36.413 V13.0.0 (2015-06)
【発明の概要】
【発明が解決しようとする課題】
【０００８】
上記のようなＣＡにおいて、１つのベアラのデータを複数のキャリア上で異なるサービス約款で提供する可能性がある。例えば、図１、図２に示す各ＣＡにおいて、セル＃１のＣＣにライセンスバンドのキャリアを使用し、セル＃２のＣＣにアンライセンスバンドのキャリアを使用して１つのベアラのデータの送受信を行い、ライセンスバンド上での通信のみ課金し、アンライセンスバンド上での通信は非課金とすること等が想定される。【０００９】
ＬＴＥにおいて下りデータに対する課金を行う場合、例えば、コアネットワークにおいて、あるベアラに対して、ユーザ装置ＵＥに送信した下りデータ量を把握し、そのデータ量に基づき課金を行う。また、上りデータに対する課金を行う場合、例えば、コアネットワークにおいて、あるベアラに対して、ユーザ装置ＵＥから送信された上りデータ量を把握し、そのデータ量に基づき課金を行う。【００１０】
しかし、現状、コアネットワーク側では、ＣＣ毎の上り／下りデータ量を把握していないので、例えばアンライセンスバンドのＣＣによる通信のみを非課金とする場合、適切に課金を行うことができない。【００１１】
更に、Ｒｅｌ−１３では、Dual Connectivityのsplit bearerを用いてＬＴＥとＷＬＡＮ（無線ＬＡＮ：Wireless LAN）のキャリアを束ねて同時送受信を行うＬＴＥ／ＷＬＡＮアグリゲーションが検討されている（非特許文献３）。ＬＴＥ／ＷＬＡＮアグリゲーションが行われる場合、例えば、ＬＴＥ側（Master eNB）で送受信したデータのみカウントして課金対象とし、ＷＬＡＮ側で送受信したデータはカウントせず非課金とすること等が考えられるが、この場合も、上記と同様の課題がある。【００１２】
本発明は上記の点に鑑みてなされたものであり、基地局とユーザ装置を備える移動通信システムにおいて、ベアラ毎、キャリア毎にユーザ装置と基地局との間の通信に係るデータ通信量を把握することを可能とする技術を提供することを目的とする。
【課題を解決するための手段】
【００１３】
本発明の実施の形態によれば、移動通信システムにおける基地局であって、
前記基地局に接続されるユーザ装置のデータ通信量を、当該ユーザ装置におけるベアラ毎に、当該ベアラのデータを伝送するキャリア毎に測定するデータ通信量測定手段と、
前記移動通信システムにおけるデータ通信量管理装置から、データ通信量報告要求メッセージを受信し、当該データ通信量報告要求メッセージにおける要求に対応するデータ通信量を含むデータ通信量報告メッセージを作成し、当該データ通信量報告メッセージを前記データ通信量管理装置に送信するデータ通信量報告制御手段と
を備えることを特徴とする基地局が提供される。【００１４】
また、本発明の実施の形態によれば、移動通信システムにおけるデータ通信量管理装置であって、
前記移動通信システムにおける基地局に対し、当該基地局に接続されるユーザ装置におけるデータ通信量の報告を要求するデータ通信量報告要求メッセージを送信する送信手段と、
前記データ通信量報告要求メッセージを受信した前記基地局から、要求されたデータ通信量を含むデータ通信量報告メッセージを受信する受信手段と、を備え、
前記データ通信量報告要求メッセージは、少なくともベアラとキャリアを指定する情報を含み、前記データ通信量報告メッセージに含まれるデータ通信量は、前記指定されたベアラとキャリアについてのデータ通信量である
ことを特徴とするデータ通信量管理装置が提供される。【００１５】
また、本発明の実施の形態によれば、移動通信システムにおける基地局が実行するデータ通信量報告方法であって、
前記基地局に接続されるユーザ装置のデータ通信量を、当該ユーザ装置のベアラ毎に、当該ベアラのデータを伝送するキャリア毎に測定するデータ通信量測定ステップと、
前記移動通信システムにおけるデータ通信量管理装置から、データ通信量報告要求メッセージを受信し、当該データ通信量報告要求メッセージにおける要求に対応するデータ通信量を含むデータ通信量報告メッセージを作成し、当該データ通信量報告メッセージを前記データ通信量管理装置に送信するデータ通信量報告ステップと
を備えることを特徴とするデータ通信量報告方法が提供される。【００１６】
また、本発明の実施の形態によれば、移動通信システムにおけるデータ通信量管理装置が実行するデータ通信量取得方法であって、
前記移動通信システムにおける基地局に対し、当該基地局に接続されるユーザ装置におけるデータ通信量の報告を要求するデータ通信量報告要求メッセージを送信する送信ステップと、
前記データ通信量報告要求メッセージを受信した前記基地局から、要求されたデータ通信量を含むデータ通信量報告メッセージを受信する受信ステップと、を備え、
前記データ通信量報告要求メッセージは、少なくともベアラとキャリアを指定する情報を含み、前記データ通信量報告メッセージに含まれるデータ通信量は、前記指定されたベアラとキャリアについてのデータ通信量である
ことを特徴とするデータ通信量取得方法が提供される。
【発明の効果】
【００１７】
本発明の実施の形態によれば、基地局とユーザ装置を備える移動通信システムにおいて、ベアラ毎、キャリア毎にユーザ装置と基地局との間の通信に係るデータ通信量を把握することが可能となる。
【図面の簡単な説明】
【００１８】
【図１】Ｒｅｌ−１０までのＣＡを示す図である。
【図２】Ｄｕａｌ  Ｃｏｎｎｅｃｔｉｖｉｔｙの例を示す図である。
【図３】本発明の実施の形態に係る通信システムの構成例１を示す図である。
【図４】本発明の実施の形態に係る通信システムの構成例２を示す図である。
【図５】本発明の実施の形態に係る通信システムの構成例３を示す図である。
【図６】要求と報告の動作シーケンス例を示す図である。
【図７Ａ】データ通信量報告要求メッセージの内容例１を説明するための図である。
【図７Ｂ】データ通信量報告要求メッセージの内容例１を説明するための図である。
【図８Ａ】データ通信量報告要求メッセージの内容例２を説明するための図である。
【図８Ｂ】データ通信量報告要求メッセージの内容例２を説明するための図である。
【図９Ａ】データ通信量報告メッセージの内容例１を説明するための図である。
【図９Ｂ】データ通信量報告メッセージの内容例１を説明するための図である。
【図１０Ａ】データ通信量報告メッセージの内容例１を説明するための図である。
【図１０Ｂ】データ通信量報告メッセージの内容例１を説明するための図である。
【図１１】データ通信量報告メッセージの内容例２を説明するための図である。
【図１２】変形例におけるデータ通信量報告要求の動作シーケンス例１を示す図である。
【図１３】変形例におけるデータ通信量報告要求の動作シーケンス例２を示す図である。
【図１４】データ通信量報告要求の動作シーケンス例１に対応するメッセージの内容例（仕様変更例）を示す図である。
【図１５】データ通信量報告要求の動作シーケンス例２に対応するメッセージの内容例（仕様変更例）を示す図である。
【図１６】変形例におけるデータ通信量報告の動作シーケンス例１を示す図である。
【図１７】変形例におけるデータ通信量報告要求の動作シーケンス例２を示す図である。
【図１８】データ通信量報告の動作シーケンス例１に対応するメッセージの内容例（仕様変更例）を示す図である。
【図１９】データ通信量報告の動作シーケンス例２に対応するメッセージの内容例（仕様変更例）を示す図である。
【図２０】基地局ｅＮＢの機能構成図である。
【図２１】基地局ｅＮＢのＨＷ構成図である。
【図２２】基地局ｅＮＢの動作例を示すフローチャートである。
【図２３】データ通信量管理装置２０の機能構成図である。
【図２４】データ通信量管理装置２０のＨＷ構成図である。
【図２５】データ通信量管理装置２０の動作例を示すフローチャートである。
【発明を実施するための形態】
【００１９】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥに対応していることを想定しているが、本発明はＬＴＥに限らず、他の方式にも適用可能である。また、以下では、ＣＡ（Dual Connectivityを含む）を行うシステム構成を例に示しているが、本発明はＣＡを行わない場合にも適用可能である。
【００２０】
以下、特に断らない限り、「ＬＴＥ」は、ＬＴＥ−Ａｄｖａｎｃｅｄ、及び、ＬＴＥ−Ａｄｖａｎｃｅｄ以降の方式を含む広い意味で使用する。また、以下で使用する「キャリア」は、周波数、キャリア周波数、チャネル等と称してもよい。
【００２１】
また、以下の説明では、概ね、上り下りのいずれかを特定しないデータ送信量に関してはデータ通信量の用語を使用し、上り下りを特定する場合は上りのデータ送信量、下りのデータ送信量等の用語を使用している。
【００２２】
（通信システム全体構成例）
図３、図４、図５に本発明の実施の形態に係る通信システムの構成例を示す。図３、図４、図５に示す本実施の形態に係る通信システムはいずれもＬＴＥ方式の通信システムである。
【００２３】
図３に示す構成例１の通信システムは、ユーザ装置ＵＥ、基地局ｅＮＢ、及びデータ通信量管理装置２０を含む。ユーザ装置ＵＥ、及び基地局ｅＮＢは、ＣＡを行うことが可能である。また、図３には、Ｓ−ＧＷ１０が示されている。Ｓ−ＧＷ１０は、ユーザデータの伝送を行う在圏パケットゲートウェイ装置であり、各基地局ｅＮＢと外部装置との間でユーザデータの中継を行う装置である。
【００２４】
データ通信量管理装置２０は、基地局ｅＮＢがユーザ装置ＵＥに向けて送信した下りのデータ送信量、及び／又は、ユーザ装置ＵＥが基地局ｅＮＢに向けて送信した上りのデータ送信量を基地局ｅＮＢから取得する装置である。データ通信量管理装置２０として、例えばＬＴＥのコアネットワークに備えられるＭＭＥを用いることができるが、データ通信量管理装置２０の機能を備える装置はＭＭＥに限られるわけではなく、ＭＭＥ以外の装置がデータ通信量管理装置２０の機能を備えてもよいし、データ通信量管理装置２０を単独で備えることとしてもよい。
【００２５】
図３の構成例１では、例えば、Ｓ−ＧＷ１０からベアラ１のデータが送信され、基地局ｅＮＢは、当該ベアラ１のデータをセル＃１とセル＃２からなるＣＡにてユーザ装置ＵＥに送信する。例えば、セル＃１のＣＣがライセンスバンドのキャリアであり、セル＃２のＣＣがアンライセンスバンドのキャリアであってよい。また、例えば、ユーザ装置ＵＥは、ベアラ１のデータをセル＃１とセル＃２からなるＣＡにて基地局ｅＮＢに送信し、基地局ｅＮＢからＳ−ＧＷ１０に当該データが送信される。
【００２６】
図４に、本実施の形態に係る通信システムの構成例２を示す。図４に示すように、構成例２では、基地局ＭｅＮＢと基地局ＳｅＮＢを備え、Dual connectivityを可能としている。図４の例では、基地局ＭｅＮＢがセル＃１でユーザ装置ＵＥと通信を行い、基地局ＳｅＮＢがセル＃２でユーザ装置ＵＥと通信を行うことでＣＡを実現している。
【００２７】
また、図４の例では、ベアラ１のデータが基地局ＭｅＮＢで分割され、基地局ＭｅＮＢはセル＃１を用いて、分割されたベアラ１のデータを送信し、基地局ＳｅＮＢはセル＃２を用いて、分割されたベアラ１のデータを送信する。また、ユーザ装置ＵＥは、ベアラ１のデータを分割し、分割データをセル＃１で基地局ＭｅＮＢに送信し、他方の分割データをセル＃２で基地局ＳｅＮＢに送信する。基地局ＭｅＮＢは基地局ＳｅＮＢから分割データを受信し、基地局ＭｅＮＢはベアラ１のデータをＳ−ＧＷ１０に送信する。
【００２８】
なお、図４では、基地局ＭｅＮＢにおいてデータ分割（データ合成）を行うこととしているが、Ｓ−ＧＷ１０においてデータ分割（データ合成）を行うこととしてもよい。この場合、Ｓ−ＧＷ１０は、基地局ＭｅＮＢと基地局ＳｅＮＢのそれぞれと通信を行う。
【００２９】
構成例２では、基地局ＭｅＮＢにおいて、上り下りの各分割データの送信量を把握できるものとし、データ通信量管理装置２０は、基地局ＭｅＮＢから上り／下りのデータ送信量を取得する。また、データ通信量管理装置２０は、基地局ＭｅＮＢと基地局ＳｅＮＢのそれぞれから上り／下りのデータ送信量を取得することとしてもよい。
【００３０】
図５に、本実施の形態に係る通信システムの構成例３を示す。図５に示すように、構成例３は、基地局ｅＮＢとＷＴを備え、Dual connectivityのsplit bearerを用いてＬＴＥ／ＷＬＡＮアグリゲーションを行う構成である。ＷＴ（WLAN Terminationの略）は、基地局ｅＮＢとＷＬＡＮ  ＡＰ（無線ＬＡＮアクセスポイント）との間の中継機能を有する装置である。
【００３１】
図５に示す構成は、基地局ｅＮＢをＭｅＮＢとし、ＷＴをＳｅＮＢとしたDual connectivityに相当し、図４に示す場合と同様にして分割データの送受信を行う。また、図４の構成と図５の構成を組み合わせた構成での通信も実施することが可能である。
【００３２】
本実施の形態のデータ通信量の要求／報告に係る処理は、図３、図４、図５の構成において同様に実施可能である。ここでは、上り／下りのデータ送信量の測定／報告を、図３の構成では基地局ｅＮＢが行い、図４の構成では基地局ＭｅＮＢが行い、図５の構成では基地局ｅＮＢが行うものとし、これらを総称して「基地局ｅＮＢ」として以下の説明を行う。なお、図４の構成において、基地局ＳｅＮＢが、自身が把握する上り／下りのデータ送信量の測定／報告を行うことも可能である。
【００３３】
基地局ｅＮＢは、ベアラ毎、キャリア毎に、基地局ｅＮＢからユーザ装置ＵＥに送信した下りのデータ送信量、及び、ベアラ毎、キャリア毎に、ユーザ装置ＵＥから基地局ｅＮＢに送信された上りのデータ送信量を測定し、メモリ等の記憶部に保持しておく機能を有する。
【００３４】
本実施の形態では、ＭｅＮＢとしての基地局ｅＮＢが、ＳｅＮＢ（又はＷＴ）にベアラの分割データを送信する場合でも、当該基地局ｅＮＢは、ＳｅＮＢ（又はＷＴ）からユーザ装置ＵＥに送信された当該分割データの送信量と、使用したキャリアを取得する機能を有する。また、ＭｅＮＢとしての基地局ｅＮＢが、ＳｅＮＢ（又はＷＴ）からベアラの分割データ（ユーザ装置ＵＥからの上りデータ）を受信する場合でも、当該基地局ｅＮＢは、ユーザ装置ＵＥからＳｅＮＢ（又はＷＴ）に送信された当該上りデータのデータ送信量と、使用したキャリアを取得する機能を有する。
【００３５】
なお、上りデータのデータ送信量に関しては、基地局におけるデータ受信量として測定できる。
【００３６】
（動作概要）
本実施の形態における通信システムの基本的な動作は、データ通信量管理装置２０が基地局ｅＮＢに対して、ベアラとキャリアを指定したデータ通信量の報告要求を送信し、基地局ｅＮＢが、当該要求に対して、当該ベアラと当該キャリアにおけるデータ通信量をデータ通信量管理装置２０に報告することである。また、要求／報告するデータ通信量は、ユーザ装置ＵＥに送信された下りのデータ送信量（例：ＵＥへの送達確認が取れたＰＤＣＰ  ＳＤＵのデータ量の総和）、ユーザ装置ＵＥから送信された上りのデータ送信量（例：ＵＥから受信したＰＤＣＰ  ＳＤＵのデータ量の総和）のいずれか、又は両方である。
【００３７】
ここで、アンライセンスバンドのキャリア（アンライセンスキャリア）上で送信したデータの中でも、適用する技術において異なる課金体系を適用することが考えられる。例えば、ＬＡＡとＷＬＡＮ（例：Ｗｉ−Ｆｉ（登録商標））とで異なる課金体系を適用することが考えられる。すなわち、ライセンスキャリア（Licensed carrier）上のＬＴＥを含めると、次の３つのＲＡＴ（Radio Access Technology）種別（Ａ、Ｂ、Ｃ）で異なる課金体系を適用することが考えられる。
【００３８】
（Ａ）ライセンスキャリア上のＬＴＥ
（Ｂ）ＬＡＡ（アンライセンスキャリア上のＬＴＥ）
（Ｃ）ＷＬＡＮ（アンライセンスキャリア上のＷｉ−Ｆｉ等）
以下、上記のＡに該当するＲＡＴ種別（ＲＡＴ  ｔｙｐｅ）を「ＬＴＥ」とし、Ｂに該当するＲＡＴ種別を「ＬＴＥ−ＬＡＡ」とし、Ｂに該当するＲＡＴ種別を「ＷＬＡＮ」として説明を行う。
【００３９】
本実施の形態において、基地局ｅＮＢが収集し、データ通信量管理装置２０に報告する上り／下りのデータ送信量については、基本的に、上記の３つを区別可能としている。ただし、Ａ、Ｂ、Ｃを全て区別することは必須ではなく、一部のみを区別したり、全く区別しないこととしてもよい。データ通信量管理装置２０や基地局においてＲＡＴ種別を全く区別しない場合でも、キャリアの情報から、ＲＡＴ種別を識別し得るためである。以下、より具体的なシーケンス、要求／報告内容について説明する。
【００４０】
（通信システムの動作例）
図６は、本実施の形態における要求と報告の動作シーケンス例を示す図である。図６に示すように、データ通信量管理装置２０が基地局ｅＮＢに対してデータ通信量報告要求（data volume report request）メッセージを送信し（ステップＳ１０１）、基地局ｅＮＢは、当該メッセージに応答して、データ通信量報告（data volume report）メッセージを送信する（ステップＳ１０２）。
【００４１】
例えば、データ通信量報告要求メッセージは、１つ又は複数のベアラの識別情報を含み、更に、ベアラ毎に１つ又は複数のキャリアの識別情報を含む。キャリアの識別情報は、例えば、ＥＡＲＦＣＮ（E-UTRAN Absolute Radio Frequency Channel Number）であるが、これに限られない。例えば、データ通信量報告要求メッセージの中に、ベアラ１、及びベアラ１に対応してキャリア１、２が含まれていた場合、このメッセージは、ベアラ１かつキャリア１で通信されたデータ通信量と、ベアラ１かつキャリア２で通信されたデータ通信量を要求していることを意味する。要求するデータ通信量について、上りか下りかをデータ通信量報告要求メッセージで指定し、指定した上り／下りのデータ送信量の報告をさせることとしてもよいし、上りか下りかをデータ通信量報告要求メッセージで指定しないこととしてもよい。上りか下りかを指定しない場合、例えば、基地局ｅＮＢは、指摘されたキャリアに対応するデータ通信量を報告する際に、それが上りか下りかを示す情報を付加して報告を行う。
【００４２】
また、データ通信量報告要求メッセージにおいて、ＲＡＴ種別（ＬＴＥ、ＬＴＥ−ＬＡＡ、ＷＬＡＮのいずれか１つ又は複数）を指定し、当該ＲＡＴ種別毎に、キャリアを指定することとしてもよい。この場合、基地局ｅＮＢは、指摘されたＲＡＴ種別のキャリアに対応するデータ通信量を報告する。
【００４３】
データ通信量報告メッセージには、データ通信量報告要求メッセージによる指定（ベアラ、ＲＡＴ種別、キャリア、上り、下り等）に対応するデータ通信量が含まれる。
【００４４】
データ通信量は、例えば、PDCP SDUの通信量（ある時点からある時点までの通信量の総和）であるがこれに限られるわけではない。また、データ通信量は、オクテット単位の数値で表されてもよいし、他の単位で表されてもよい。また、データ通信量報告メッセージには、データ通信量に、当該データ通信量の測定の測定開始時刻が含まれていてもよい。
【００４５】
下りデータに関し、基地局ｅＮＢにおいて測定し、報告するデータ通信量は、基地局ｅＮＢからユーザ装置ＵＥに送信されたデータ送信量であってもよいし、基地局ｅＮＢからユーザ装置ＵＥに送信し、ユーザ装置ＵＥによる受信が確認された（ＡＣＫを受信した）データの量であってもよい。また、報告するデータ量として、上記のデータ送信量に加えて、基地局ｅＮＢからユーザ装置ＵＥに送信したが、ユーザ装置ＵＥでの受信を確認できなかったデータ量を報告してもよい。なお、図４、図５等のDual Connectivityを実施する場合、下りデータに関し、基地局ｅＮＢ（ＭｅＮＢ）からユーザ装置ＵＥに送信したデータは、ＳｅＮＢを経由してユーザ装置ＵＥに送信されたデータを含む。
【００４６】
上りデータに関し、基地局ｅＮＢにおいて測定し、報告するデータ通信量は、ユーザ装置ＵＥから送信され基地局ｅＮＢが受信したデータ送信量であってもよいし、ユーザ装置ＵＥから送信され基地局ｅＮＢが受信し、ユーザ装置ＵＥに対してＡＣＫを送信したデータ送信量であってもよい。
【００４７】
なお、図４、図５等のDual Connectivityを実施する場合、上りデータに関し、ユーザ装置ＵＥから送信され基地局ｅＮＢ（ＭｅＮＢ）が受信したデータは、ユーザ装置ＵＥからＳｅＮＢに送信され、ＳｅＮＢから基地局ｅＮＢに送信されたデータを含む。
【００４８】
データ通信量管理装置２０は基地局ｅＮＢに対して、データ通信量報告要求メッセージを定期的に送信してもよいし、他のトリガで送信してもよい。定期的に送信する場合、例えば、基地局ｅＮＢは、１つのベアラの１つのキャリアに関して（ベアラ／キャリアと記載）、１回目に、当該ベアラ／キャリアでのデータ通信開始からデータ通信量報告要求メッセージ受信までの期間におけるデータ通信量を報告し、報告後に当該データ通信量をリセットし、２回目に、当該ベアラ／キャリアでの前回の報告時から今回のデータ通信量報告要求メッセージ受信までの期間におけるデータ通信量を報告し、報告後に当該データ通信量をリセットすることを、当該ベアラ／キャリアでのデータ通信を行う間、繰り返し行うことができる。各回の報告には、測定開始時刻が含まれていてもよい。
【００４９】
また、他のトリガの例としては、例えば、データ通信量管理装置２０は、基地局ｅＮＢにおけるあるベアラの確立を検知し、その後、そのベアラの接続が終了したことを検知したタイミングで、当該ベアラの各キャリアのデータ通信量を要求するデータ通信量報告要求メッセージを基地局ｅＮＢに送信する。メッセージを受信した基地局ｅＮＢは、当該ベアラの確立時から終了時点までに通信したデータ通信量をキャリア毎にデータ通信量管理装置２０に報告する。当該報告には、測定開始時刻が含まれていてもよい。
【００５０】
また、データ通信量管理装置２０は、現在確立している全てのベアラと使用キャリアについてのデータ通信量を要求するために、特定のベアラ及び特定のキャリアを指定せずにデータ通信量報告要求メッセージを基地局ｅＮＢに送信してもよい。つまり、この場合は、現在確立している全てのベアラと使用キャリアを暗黙的に指定していることになる。また、ベアラのみを指定することで、暗黙的に、当該ベアラが使用している全キャリアについてのデータ通信量の報告を要求することとしてもよい。
【００５１】
＜メッセージの内容例＞
本実施の形態において使用されるデータ通信量報告要求メッセージ、及びデータ通信量報告メッセージの具体的な内容は特定の内容に限られないが、例えば、非特許文献２に記載されているDATA VOLUME REPORT REQUESTのメッセージ及びDATA VOLUME REPORTのメッセージをベースとしたメッセージを用いることができる。
【００５２】
図７Ａ、Ｂに、データ通信量報告要求メッセージの内容例１を示す。上記のように、当該メッセージは、非特許文献２に記載されているDATA VOLUME REPORT REQUESTのメッセージをベースとし、図７Ａ，ＢにおけるPresence、Criticality等の項目の意味自体は非特許文献２に記載された意味と同様と考えてよい。
【００５３】
図７ＡにおけるMessage Typeは、当該メッセージがデータ通信量報告要求メッセージであることを示す情報になる。図７Ａに示すように、当該メッセージはRABs Data Volume Report Listを含み、当該Listの要素は、RABs Data Volume Report Item IEであり、RABs Data Volume Report Item IEは、RAB ID、選択されたRAT種別を示すCHOICE RAT typeを有する。
【００５４】
また、指定したRAT種別毎(本例では、LTE-LAAとWLAN)に、Carrier Frequency Listを含む。Carrier Frequency Listの要素はCarrier Frequency Item IEであり、Carrier Frequency Item IEはEARFCNからなる。
【００５５】
RAB IDは、報告対象のベアラ（Radio Access Bearer）を示し、EARFCNは報告対象のキャリア（Carrier Frequency）を示す。また、本例では、ＷＬＡＮのキャリアとして、２．４ＧＨｚのバンドのキャリアと５ＧＨｚのキャリアを指定可能になっている。また、２．４ＧＨｚ／５ＧＨｚの中の特定のチャネルを指定できるようにしてもよい。図７Ｂに示すように、ベアラの数と、キャリアの数のそれぞれの範囲が定められる。
【００５６】
図８Ａ、Ｂは、データ通信量報告要求メッセージの内容例２を示す図である。図８Ａ、Ｂに示す例では、「ＡＬＬ」が追加されている。データ通信量報告要求メッセージにおいて、あるベアラに対してＡＬＬを指定することは、ＬＴＥ、ＬＴＥ−ＬＡＡ、ＷＬＡＮを含めた当該べアラを伝送した全てのキャリア毎の上りと下りデータ送信量を報告することを要求することを意味する。
【００５７】
図９Ａ、Ｂに、データ通信量報告メッセージの内容例１を示す。当該メッセージは、非特許文献２に記載されているDATA VOLUME REPORTのメッセージをベースとする。
【００５８】
図９ＡにおけるMessage Typeは、当該メッセージがデータ通信量報告メッセージであることを示す情報になる。図９Ａに示すように、当該メッセージはRABs Data Volume Report Listを含み、当該Ｌｉｓｔの要素は、RABs Data Volume Report Item IEであり、RABs Data Volume Report Item IEは、RAB ID、Carrier Frequency Listを含む。Carrier Frequency Listの要素はCarrier Frequency Item IEであり、Carrier Frequency Item IEはEARFCN、Transmitted DL Data Volume、Received UL Data Volume、Data Volume Referenceを含む。図９Ｂに示すように、ベアラの数と、キャリアの数のそれぞれの範囲が定められる。
【００５９】
Transmitted DL Data Volume/Received UL Data Volumeは、キャリア毎（EARFCN毎）の情報であり、当該キャリア上で送信された下り／上りのPDCP SDUの総和のデータ量を示す。また、Data Volume Referenceもキャリア毎(EARFCN毎)の情報であり、計測を開始した時刻(reference time)を示す。つまり、Transmitted DL Data Volume/Received UL Data Volumeは、該当ベアラの該当キャリアについて、reference timeから現在（報告時点）までの累積のデータ通信量を示す。
【００６０】
図１０Ａ、Ｂに示すように、Transmitted Data Volume(Transmitted DL Data Volume、Received UL Data Volume)は、例えばオクテット単位の所定範囲の整数であり、Data Volume Referenceは所定範囲の整数である。
【００６１】
更に、図９Ａに示すように、データ通信量報告メッセージには、RABs Failed To Report Item IEとして、通信（上り送信、又は、下り送信）に失敗したベアラとその理由を示す情報が含まれていてもよい。また、前述したように、データ通信量報告メッセージには、ユーザ装置ＵＥに送信したが、ユーザ装置ＵＥによる受信を確認できなかったデータ送信量がベアラ毎、キャリア毎に含まれていてもよい。
【００６２】
図９Ａ、Ｂに示す例は、ＲＡＴ種別を通知しない場合の例である。例えば、データ通信量報告要求メッセージにおいて、１種類のＲＡＴ種別に関する要求を受信した場合に、当該ＲＡＴ種別に関する報告を行う場合には、図９Ａ、Ｂに示すメッセージを使用することができる。
【００６３】
図１１に、データ通信量報告メッセージの内容例２を示す。当該メッセージも、非特許文献２に記載されているDATA VOLUME REPORTのメッセージをベースとする。当該メッセージは、図７Ａ、Ｂ又は図８Ａ、Ｂに示したデータ通信量報告要求メッセージに対応するものである。
【００６４】
図１１におけるMessage Typeは、当該メッセージがデータ通信量報告メッセージであることを示す情報になる。図１１に示すように、当該メッセージはRABs Data Volume Report Listを含み、当該Ｌｉｓｔの要素は、RABs Data Volume Report Item IEであり、RABs Data Volume Report Item IEは、RAB ID、RAT種別を示すCHOICE RAT typeを有する。
【００６５】
また、指定したRAT種別毎(本例では、LTE-LAAとWLAN)に、Carrier Frequency Listを含む。Carrier Frequency Listの要素はCarrier Frequency Item IEであり、Carrier Frequency Item IEはEARFCN、Transmitted DL Data Volume、Received UL Data Volume、Data Volume Referenceを含む。
【００６６】
LTE-LAAに関して、Transmitted DL Data Volume/Received UL Data Volumeは、キャリア毎（EARFCN毎）の情報であり、当該キャリア上で送信された下り／上りのPDCP SDUの総和のデータ量を示す。また、Data Volume Referenceもキャリア毎(EARFCN毎)の情報であり、計測を開始した時刻(reference time)を示す。つまり、Transmitted DL Data Volume/Received UL Data Volumeは、該当ベアラの該当キャリアについて、reference timeから現在（報告時点）までの累積のデータ通信量を示す。
【００６７】
また、本例では、ＷＬＡＮのキャリアとして、２．４ＧＨｚのバンドのキャリアと５ＧＨｚのキャリアを指定可能になっている。また、２．４ＧＨｚ／５ＧＨｚの中の特定のチャネルを指定できるようにしてもよい。
【００６８】
また、図９Ａ、Ｂの場合と同様に、当該データ通信量報告メッセージには、RABs Failed To Report Item IEとして、送信に失敗したベアラとその理由を示す情報が含まれていてもよい。
【００６９】
（変形例）
これまでの例においては、データ通信量報告要求メッセージとデータ通信量報告メッセージとして要求／報告のための専用のメッセージを導入することを想定しているが、データ通信量要求／報告以外を主目的とするメッセージの中に、データ通信量要求／報告を指示する情報要素を加えることで、データ通信量要求／報告を行うこととしてもよい。以下、このようなメッセージを用いてデータ通信量要求／報告を行う例を変形例として説明する。以下の例におけるデータ通信量報告要求メッセージの内容（ベアラ、RAT種別、キャリア、上り、下り等の指定）、及びデータ通信量報告メッセージの内容（指定されたベアラ、RAT種別、キャリア、上り、下り等のデータ通信量の報告）に関しては、これまでに説明した例と同様である。
【００７０】
＜データ通信量報告の要求＞
まず、データ通信量報告の要求における例を説明する。図１２は、Initial Context Setup procedureにおけるメッセージを利用する例である。図１２に示すように、ステップＳ２０１において、データ通信量管理装置２０（ここではＭＭＥ）は、データ通信量報告要求メッセージとして、Initial Context Setup Requestメッセージを基地局ｅＮＢに送信する。ステップＳ２０２において、基地局ｅＮＢは、Initial Context Setup Requestメッセージの応答としてInitial Context Setup Responseメッセージを返す。
【００７１】
Initial Context Setup Requestメッセージは、例えば、ＵＥの電源ＯＮ時等に実行されるアタッチ手順において、アタッチ受け入れを示すメッセージであり、データ通信量報告の対象とするベアラの確立要求を含む。また、Initial Context Setup Responseメッセージには、当該ベアラの確立完了を示す情報が含まれる。
【００７２】
特に本実施の形態におけるInitial Context Setup Requestメッセージには、確立を要求するベアラのデータ通信量報告の要求を示すData Volume Request IE（Data Volume count IEと称してもよい）が含まれる。
【００７３】
図１３は、E-RAB Setup Modification procedureにおけるメッセージを利用する例である。図１３に示すように、ステップＳ３０１において、データ通信量管理装置２０（ここではＭＭＥ）は、データ通信量報告要求メッセージとして、E-RAB Setup Requestメッセージを基地局ｅＮＢに送信する。ステップＳ３０２において、基地局ｅＮＢは、E-RAB Setup Requestメッセージの応答としてE-RAB Setup Responseメッセージを返す。
【００７４】
E-RAB Setup Requestメッセージは、例えば、データ通信量報告の対象とするベアラを追加で確立する場合に用いられるメッセージであり、当該ベアラの確立要求を含む。また、E-RAB Setup Responseメッセージには、当該ベアラの確立完了を示す情報が含まれる。
【００７５】
特に本実施の形態におけるE-RAB Setup Requestメッセージには、確立を要求するベアラのデータ通信量報告の要求を示すData Volume Request IE（Data Volume count IEと称してもよい）が含まれる。
【００７６】
図１４は、図１２におけるステップＳ２０１に対応するInitial Context Setup Requestメッセージの内容例を示す。図１４は、非特許文献４におけるInitial Context Setup Requestメッセージの部分の抜粋であり、非特許文献４からの変更部分に下線が引かれている。この下線部分がData Volume Request IEに相当する。図１４の下線部分に示すとおり、Data Volume Request IEの内容は、図８Ａに示したメッセージの内容と同様である。
【００７７】
図１５は、図１３におけるステップＳ３０１に対応するE-RAB Setup Requestメッセージの内容例を示す。図１５は、非特許文献４におけるE-RAB Setup Requestメッセージの部分の抜粋であり、非特許文献４からの変更部分に下線が引かれている。この下線部分がData Volume Request IEに相当する。図１５の下線部分に示すとおり、Data Volume Request IEの内容は、図８Ａに示したメッセージの内容と同様である。
【００７８】
上述したメッセージを受信した基地局ｅＮＢは、Data Volume Request IEで指定されたベアラ、ＲＡＴ種別、キャリア等についてのデータ通信量の測定を開始する。
【００７９】
＜データ通信量報告＞
次に、データ通信量報告における例を説明する。図１６は、Initial Context Release procedureにおけるメッセージを利用する例である。図１６に示すように、ステップＳ４０１において、データ通信量管理装置２０（ここではＭＭＥ）は、UE Context Release Commandメッセージを送信する。そして、ステップＳ４０２において、基地局ｅＮＢは、UE Context Release Commandメッセージに対する応答として、UE Context Release Completeメッセージをデータ通信量管理装置２０に送信する。
【００８０】
UE Context Release Commandメッセージは、当該ＵＥに関するベアラ等の論理接続（logical connections）を解放することを指示するメッセージである。UE Context Release Commandメッセージ（ＵＥのＩＤを含む）を受信した基地局ｅＮＢは、当該ＵＥのベアラを解放する処理を行うとともに、図１２又は図１３で示した要求により、データ通信量報告の要求がなされているベアラに関しては、当該ベアラについて測定したデータ通信量をRABs Data Volume Report List IEとしてUE Context Release Completeメッセージに含め、データ通信量管理装置２０に送信する。
【００８１】
図１７は、E-RAB Release procedureにおけるメッセージを利用する例である。図１７に示すように、ステップＳ５０１において、データ通信量管理装置２０（ここではＭＭＥ）は、E-RAB Release Commandメッセージを送信する。そして、ステップＳ５０２において、基地局ｅＮＢは、E-RAB Release Commandメッセージに対する応答として、E-RAB Release Responseメッセージをデータ通信量管理装置２０に送信する。
【００８２】
E-RAB Release Commandメッセージは、ベアラの解放を指示するメッセージであり、ＵＥのＩＤ、解放する１つ又は複数のベアラの識別情報を含む。E-RAB Release Commandメッセージを受信した基地局ｅＮＢは、指示されたベアラを解放する処理を行うとともに、指示されたベアラのうち、図１２又は図１３で示した要求により、データ通信量報告の要求がなされているベアラに関しては、当該ベアラについて測定したデータ通信量をRABs Data Volume Report List IEとしてE-RAB Release Responseメッセージに含め、データ通信量管理装置２０に送信する。
【００８３】
図１８は、図１６におけるステップＳ４０２に対応するUE Context Release Completeメッセージの内容例を示す。図１８は、非特許文献４におけるUE Context Release Completeメッセージの部分の抜粋であり、非特許文献４からの変更部分に下線が引かれている。この下線部分がRABs Data Volume Report List IEに相当する。図１８の下線部分に示すとおり、RABs Data Volume Report List IEの内容は、図１１に示したメッセージの内容と同様である。
【００８４】
図１９は、図１７におけるステップＳ５０２に対応するE-RAB Release Responseメッセージの内容例を示す。図１９は、非特許文献４におけるE-RAB Release Responseメッセージの部分の抜粋であり、非特許文献４からの変更部分に下線が引かれている。この下線部分がRABs Data Volume Report List IEに相当する。図１９の下線部分に示すとおり、RABs Data Volume Report List IEの内容は、図１１に示したメッセージの内容と同様である。
【００８５】
上記のように、変形例では、ベアラが確立されている間（確立〜解放までの間）の上り／下りデータ通信量の測定（カウント）を行い、当該データ通信量を既存の手順を利用して取得することができる。
【００８６】
（装置構成、動作フロー）
＜基地局ｅＮＢ＞
図２０に、本実施の形態における基地局ｅＮＢの機能構成図を示す。図２０に示すように、基地局ｅＮＢは、ＤＬ信号送信部１０１、ＵＬ信号受信部１０２、データ通信量測定部１０３、データ通信量格納部１０４、データ通信量報告制御部１０５、及びＣＮ通信部１０６を有する。なお、図２０は、基地局ｅＮＢにおいて本発明の実施の形態に特に関連する機能部のみを示すものであり、少なくともＬＴＥ方式に準拠した動作を行うための図示しない機能も有するものである。
【００８７】
ＤＬ信号送信部１０１は、基地局ｅＮＢから送信されるべき上位のレイヤの情報から、物理レイヤの各種信号を生成し、ユーザ装置ＵＥに対して送信する機能を含む。ＵＬ信号受信部１０２は、ユーザ装置ＵＥから各種の上り信号を受信し、受信した物理レイヤの信号からより上位のレイヤの情報を取得する機能を含む。特に、本実施の形態では、ＤＬ信号送信部１０１は、あるベアラのデータをＣＡにより複数のキャリアを使用して送信することができる。また、ＵＬ信号受信部１０２は、ＣＡにより複数キャリアを用いてユーザ装置ＵＥから送信されたあるベアラのデータを受信することができる。
【００８８】
データ通信量測定部１０３は、ＤＬ信号送信部１０１によりユーザ装置ＵＥに対して送信される下りデータのデータ送信量を、ベアラ毎、キャリア毎に測定し、測定したデータ送信量を、測定した単位であるベアラ毎、キャリア毎にデータ通信量格納部１０４に格納する。具体的には、例えば、データ通信量測定部１０３は、ＤＬ信号送信部１０１によりパケット（例：ＰＤＣＰ  ＳＤＵ）が送信される度に、そのパケットのデータ量をカウント（加算）する。データ通信量格納部１０４は、このように、ベアラ毎、キャリア毎にデータ通信量を格納する。
【００８９】
上記のキャリアは、ライセンスキャリア、アンライセンスキャリアのいずれでもよく、データ通信量測定部１０３は、ベアラ毎、ＲＡＴ種別毎（ＬＴＥ、ＬＴＥ−ＬＡＡ，ＷＬＡＮ等）、キャリア毎にデータ送信量を格納することとしてもよい。
【００９０】
また、図４、図５を参照して説明したように、Dual Connectivityを構成する場合において、当該基地局ｅＮＢがＭｅＮＢとして機能する場合に、split bearerによりＤＬ信号送信部１０１が、分割したデータをＳｅＮＢ（又はＷＴ）に送信し、ＳｅＮＢ（又はＷＴ）から分割データがユーザ装置ＵＥに送信される場合においても、データ通信量測定部１０３は、ベアラ毎、ＲＡＴ種別毎（ＬＴＥ、ＬＴＥ−ＬＡＡ、ＷＬＡＮ等）、キャリア毎に下りのデータ送信量を測定し、格納することができる。
【００９１】
また、データ通信量測定部１０３は、ＵＬ信号受信部１０２によりユーザ装置ＵＥから受信する上りデータのデータ送信量を、ベアラ毎、キャリア毎に測定し、測定したデータ送信量を、測定した単位であるベアラ毎、キャリア毎にデータ通信量格納部１０４に格納する。具体的には、例えば、データ通信量測定部１０３は、ＵＬ信号受信部１０２によりによりパケット（例：ＰＤＣＰ  ＳＤＵ）を受信する度に、そのパケットのデータ量をカウント（加算）する。データ通信量格納部１０４は、このように、ベアラ毎、キャリア毎にデータ送信量を格納する。
【００９２】
上記のキャリアは、ライセンスキャリア、アンライセンスキャリアのいずれでもよく、データ通信量測定部１０３は、ベアラ毎、ＲＡＴ種別毎（ＬＴＥ、ＬＴＥ−ＬＡＡ，ＷＬＡＮ等）、キャリア毎にデータ送信量を格納することとしてもよい。
【００９３】
また、図４、図５を参照して説明したように、Dual Connectivityを構成する場合において、当該基地局ｅＮＢがＭｅＮＢとして機能する場合に、split bearerによりＵＬ信号受信部１０２が、分割したデータをＳｅＮＢ（又はＷＴ）から受信し、コアネットワーク側に送信する場合においても、データ通信量測定部１０３は、ベアラ毎、ＲＡＴ種別毎（ＬＴＥ、ＬＴＥ−ＬＡＡ，ＷＬＡＮ等）、キャリア毎に上りのデータ送信量を測定し、格納することができる。
【００９４】
データ通信量報告制御部１０５は、データ通信量管理装置２０から、ＣＮ通信部１０５を介してデータ通信量報告要求メッセージを受信し、当該データ通信量報告要求メッセージにおいて指定されたベアラ／ＲＡＴ種別／キャリア／上り／下り等に応じて、データ通信量格納部１０４からデータ通信量を取得し、指定されたデータ通信量を含むデータ通信量報告メッセージを作成し、ＣＮ通信部１０６に渡す。なお、例えば変形例の場合、データ通信量測定部１０３は、データ通信量報告要求メッセージにおいて指定されたベアラ／ＲＡＴ種別／キャリア／上り／下り等に対応するデータ通信量のみの測定を行い、データ通信量報告メッセージで当該測定したデータ通信量を報告することとしてもよい。
【００９５】
ＣＮ通信部１０６はコアネットワークとの通信を行う機能部であり、本実施の形態では、データ通信量報告要求メッセージをデータ通信量管理装置２０から受信し、データ通信量報告メッセージをデータ通信量管理装置２０に送信する。
【００９６】
また、データ通信量報告制御部１０５は、変形例で説明したように、既存の手順を利用してデータ通信量報告の処理を実行する機能も有している。
【００９７】
図２０に示す基地局ｅＮＢの構成は、全体をハードウェア回路（例：１つ又は複数のＩＣチップ）で実現してもよいし、一部をハードウェア回路で構成し、その他の部分をＣＰＵとプログラムとで実現してもよい。
【００９８】
図２１は、基地局ｅＮＢのハードウェア（ＨＷ）構成の例を示す図である。図２１は、図２０よりも実装例に近い構成を示している。図２１に示すように、基地局ｅＮＢは、無線信号に関する処理を行うＲＥモジュール１５１と、ベースバンド信号処理を行うＢＢ処理モジュール１５２と、上位レイヤ等の処理を行う装置制御モジュール１５３と、ネットワークと接続するためのインタフェースである通信ＩＦ１５４とを有する。
【００９９】
ＲＥモジュール１５１は、ＢＢ処理モジュール１５２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール１５２に渡す。ＲＥモジュール１５１は、例えば、図２０のＤＬ信号送信部１０１及びＵＬ信号受信部１０２における物理レイヤ等の機能を含む。
【０１００】
ＢＢ処理モジュール１５２は、ＩＰパケットとデジタルベースバンド信号とを相互に変換する処理を行う。ＤＳＰ１６２は、ＢＢ処理モジュール１５２における信号処理を行うプロセッサである。メモリ１７２は、ＤＳＰ１５２のワークエリアとして使用される。ＢＢ処理モジュール１５２は、例えば、図２０のＤＬ信号送信部１０１及びＵＬ信号受信部１０２におけるレイヤ２等の機能、データ通信量測定部１０３、データ通信量格納部１０４、データ通信量報告制御部１０５を含む。なお、データ通信量測定部１０３、データ通信量格納部１０４、データ通信量報告制御部１０５の機能の全部又は一部を装置制御モジュール１５３に含めることとしてもよい。
【０１０１】
装置制御モジュール１５３は、ＩＰレイヤのプロトコル処理、ＯＡＭ処理等を行う。プロセッサ１６３は、装置制御モジュール１５３が行う処理を行うプロセッサである。メモリ１７３は、プロセッサ１６３のワークエリアとして使用される。補助記憶装置１８３は、例えばＨＤＤ等であり、基地局ｅＮＢ自身が動作するための各種設定情報等が格納される。通信ＩＦ１５４は、ＣＮ通信部１０６に相当する。
【０１０２】
次に、図２２のフローチャートを参照して、基地局ｅＮＢの動作例を説明する。なお、図２２のフローチャートは、図６に示す処理に対応する。
【０１０３】
基地局ｅＮＢが、データ通信量報告要求メッセージをデータ通信量管理装置２０から受信する（ステップＳ６０１）。基地局ｅＮＢにおけるデータ通信量報告制御部１０５は、受信したデータ通信量報告要求メッセージにおける指示（ベアラ／ＲＡＴ種別／キャリア／上り／下り等）に基づき、データ通信量格納部１０４からデータ通信量を取得する（ステップＳ６０２）。
【０１０４】
データ通信量報告制御部１０５は、指示に対応するデータ通信量を含むデータ通信量報告メッセージを作成し、当該データ通信量報告メッセージをＣＮ通信部１０６に渡し、ＣＮ通信部１０６が当該データ通信量報告メッセージをデータ通信量管理装置２０に送信する（ステップＳ６０３）。
【０１０５】
＜データ送信量管理装置２０＞
図２３に、本実施の形態におけるデータ通信量管理装置２０の機能構成図を示す。図２３に示すように、データ通信量管理装置２０は、データ通信量報告要求メッセージ送信部２０１、データ通信量報告メッセージ受信部２０２、データ通信量報告要求制御部２０３、データ通信量格納部２０４、及び課金制御部２０５を有する。なお、図２３は、データ通信量管理装置２０において本発明の実施の形態に特に関連する機能部のみを示すものであり、少なくともＬＴＥ方式のコアネットワークを構成する装置としての動作を行うための図示しない機能も有するものである。例えば、ＭＭＥがデータ通信量管理装置２０としての役割を担う場合、つまり、データ通信量管理装置２０がＭＭＥである場合、データ通信量管理装置２０は、ＭＭＥの機能も含む。
【０１０６】
データ通信量報告要求メッセージ送信部２０１は、１つ又は複数のベアラ、ＲＡＴ種別、１つ又は複数のキャリア、上り／下りの別等を指定したデータ通信量報告要求メッセージを作成し、当該メッセージを基地局ｅＮＢに送信する。なお、ＲＡＴ種別、１つ又は複数のキャリア、上り／下りの別等については、指定しないこととしてもよい。
【０１０７】
データ通信量報告メッセージ受信部２０２は、データ通信量報告要求メッセージを受信した基地局ｅＮＢから送信されるデータ通信量報告メッセージを受信し、メッセージに含まれるデータ通信量をデータ通信量格納部２０４に格納する。
【０１０８】
データ通信量報告要求制御部２０３は、データ通信量報告要求メッセージの送信トリガを検知し、データ通信量報告要求メッセージの送信をデータ通信量報告要求メッセージ送信部２０１に指示する。送信トリガは、例えば、定期的なタイミングの到来、基地局ｅＮＢにおけるあるベアラの終了等である。また、データ通信量報告要求制御部２０３は、変形例で説明したように、既存の手順を利用してデータ通信量報告要求の制御を実行する機能も有しており、その場合、送信トリガ（Data Volume Request IEを設定するトリガ）は、UE Initial Context Setup Request／E-RAB Setup Requestの送信タイミングとなる。
【０１０９】
データ通信量格納部２０４は、ベアラ毎、ＲＡＴ種別毎、キャリア毎、上り／下り毎のデータ通信量を格納することができる。当該データ通信量は、当該データ通信が行われた期間（ベアラが設定されていた期間）を示す情報や、測定を開始した時刻、データ通信量を受信した時刻等とともに格納されてもよい。
【０１１０】
課金制御部２０５は、データ通信量格納部２０４に格納されたデータ通信量を用いて課金に関する処理を行う。課金に関する処理としては、例えば、ベアラ毎、キャリア毎のデータ通信量を、課金を行う装置に送信すること、ユーザ装置ＵＥ毎に、所定期間におけるキャリア毎のデータ通信量を集計すること、等が考えられる。
【０１１１】
データ通信量管理装置２０は、例えば、ＣＰＵとメモリを備え、プログラムがＣＰＵ（プロセッサ）により実行されることで実現されるコンピュータの構成を用いて実現できる。
【０１１２】
上記のようなコンピュータによりデータ通信量管理装置２０を構成する場合におけるデータ通信量管理装置２０のハードウェア（ＨＷ）構成の例を図２４に示す。
【０１１３】
図２４に示すように、当該データ通信量管理装置２０は、ＣＰＵ２５１、ＲＡＭ（Ｒａｎｄｏｍ  Ａｃｃｅｓｓ  Ｍｅｍｏｒｙ）２５２、ＲＯＭ（Ｒｅａｄ  Ｏｎｌｙ  Ｍｅｍｏｒｙ）２５３、通信を行うための通信モジュール２５４、ハードディスク等の補助記憶装置２５５、入力装置２５６、出力装置２５７を備える。
【０１１４】
ＲＡＭ２５２、ＲＯＭ２５３、補助記憶装置２５５等の記憶手段に格納されたプログラムをＣＰＵ２５１が読み出し、実行することにより、データ通信量管理装置２０の各機能の動作が実行される。また、通信を行う処理については、通信モジュール２５４が使用される。また、入力装置２５６により、例えば、データ通信量管理装置２０に対する設定情報の入力を行い、出力装置２５７により、例えば、データ通信量管理装置２０の稼働状態の出力等を行うことができる。
【０１１５】
次に、図２５のフローチャートを参照して、データ通信量管理装置２０の動作例を説明する。なお、図２５のフローチャートは、図６に示す処理に対応する。
【０１１６】
ステップＳ７０１において、データ通信量報告要求トリガが発生し、データ通信量管理装置２０のデータ通信量報告要求制御部２０３が、当該トリガを検知し、データ通信量報告要求メッセージ送信部２０１にデータ通信量報告要求メッセージの送信を指示する。
【０１１７】
データ通信量報告要求メッセージ送信部２０１は、データ通信量報告要求メッセージを作成し、基地局ｅＮＢに送信する（ステップＳ７０２）。例えば、データ通信量報告要求トリガが、あるベアラの通信が終了した（ベアラが削除された）というトリガであった場合、データ通信量報告要求メッセージ送信部２０１は、当該ベアラの識別情報と、当該ベアラのデータ通信に使用される各キャリアの識別情報とを含むデータ通信量報告要求メッセージを作成し、基地局ｅＮＢに送信する。
【０１１８】
データ通信量管理装置２０のデータ通信量報告メッセージ受信部２０２は、ステップＳ７０２で送信されたデータ通信量報告要求メッセージに対する応答であるデータ通信量報告メッセージを基地局ｅＮＢから受信し（ステップＳ７０３）、当該データ通信量報告メッセージに含まれるデータ通信量をデータ通信量格納部２０４に格納する（ステップＳ７０４）。
【０１１９】
以上、説明したように、本実施の形態により、移動通信システムにおける基地局であって、前記基地局に接続されるユーザ装置のデータ通信量を、当該ユーザ装置におけるベアラ毎に、当該ベアラのデータを伝送するキャリア毎に測定するデータ通信量測定手段と、前記移動通信システムにおけるデータ通信量管理装置から、データ通信量報告要求メッセージを受信し、当該データ通信量報告要求メッセージにおける要求に対応するデータ通信量を含むデータ通信量報告メッセージを作成し、当該データ通信量報告メッセージを前記データ通信量管理装置に送信するデータ通信量報告制御手段とを備える基地局が提供される。
【０１２０】
上記の構成によれば、基地局とユーザ装置を備える移動通信システムにおいて、ベアラ毎、キャリア毎にユーザ装置と基地局との間の通信に係るデータ通信量を把握することが可能となる。
【０１２１】
前記ユーザ装置のデータ通信量は、例えば、前記ユーザ装置が送信する上りデータの送信量、又は、前記基地局が前記ユーザ装置に送信する下りデータの送信量である。この構成により、データ通信量として、上りと下りそれぞれのデータ送信量を取得することができる。
【０１２２】
前記データ通信量報告要求メッセージは、ベアラ、ＲＡＴ種別、及びキャリアを指定する情報を含み、前記データ通信量報告制御手段は、指定されたベアラ、ＲＡＴ種別、及びキャリアについてのデータ通信量を含むデータ通信量報告メッセージを前記データ通信量管理装置に送信することとしてもよい。この構成により、ＲＡＴ種別を識別しながらデータ通信量を取得できるため、例えば、ＲＡＴ種別に応じた適切な課金処理を実行することができる。
【０１２３】
前記ＲＡＴ種別は、例えば、ライセンスバンドを使用するＬＴＥ、アンライセンスバンドを使用するＬＴＥ、又は、無線ＬＡＮである。このようなＲＡＴ種別を識別可能とすることで、例えば、Ｒｅｌ−１３等で導入が想定されるＷＬＡＮ／ＬＡＡとＬＴＥとのキャリアアグリゲーションにおけるデータ通信量をＲＡＴ種別毎に把握でき、例えば適切な課金処理を実現できる。
【０１２４】
前記データ通信量報告要求メッセージは、データ通信量の報告要求の対象とするベアラを確立するためのメッセージであり、前記データ通信量報告メッセージは、当該ベアラの解放を通知するメッセージであることとしてもよい。この構成により、既存のベアラ確立手順／べアラ解放手順を用いてデータ通信量の取得を行うことが可能となる。
【０１２５】
また、本実施の形態により、移動通信システムにおけるデータ通信量管理装置であって、前記移動通信システムにおける基地局に対し、当該基地局に接続されるユーザ装置におけるデータ通信量の報告を要求するデータ通信量報告要求メッセージを送信する送信手段と、前記データ通信量報告要求メッセージを受信した前記基地局から、要求されたデータ通信量を含むデータ通信量報告メッセージを受信する受信手段と、を備え、前記データ通信量報告要求メッセージは、少なくともベアラとキャリアを指定する情報を含み、前記データ通信量報告メッセージに含まれるデータ通信量は、前記指定されたベアラとキャリアについてのデータ通信量であるデータ通信量管理装置が提供される。
【０１２６】
上記の構成によれば、基地局とユーザ装置を備える移動通信システムにおいて、ベアラ毎、キャリア毎にユーザ装置と基地局との間の通信に係るデータ通信量を把握することが可能となる。
【０１２７】
前記データ通信量報告要求メッセージは、ベアラ、ＲＡＴ種別、及びキャリアを指定する情報を含み、前記受信手段は、指定されたベアラ、ＲＡＴ種別、及びキャリアについてのデータ通信量を含むデータ通信量報告メッセージを前記基地局から受信することとしてもよい。この構成により、ＲＡＴ種別を識別しながらデータ通信量を取得できるため、例えば、ＲＡＴ種別に応じた適切な課金処理を実行することができる。
【０１２８】
前記データ通信量報告要求メッセージは、データ通信量の報告要求の対象とするベアラを確立するためのメッセージであり、前記データ通信量報告メッセージは、当該ベアラの解放を通知するメッセージであることとしてもよい。この構成により、既存のベアラ確立手順／べアラ解放手順を用いてデータ通信量の取得を行うことが可能となる。
【０１２９】
なお、上記の各装置の構成における「手段」を、「部」、「回路」、「デバイス」等に置き換えてもよい。
【０１３０】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局ｅＮＢ及びデータ送信量管理装置２０は機能的なブロック図を用いて説明されたが、そのような各装置はハードウェアで、ソフトウェアで又はそれらの組み合わせで実現されてもよい。本発明に従って動作するソフトウェア、すなわち、基地局ｅＮＢが有するプロセッサにより動作するソフトウェア、及びデータ送信量管理装置２０が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１３１】
本発明は上記実施形態に限定されず、本発明の精神から逸脱することなく、様々な変形例、修正例、代替例、置換例等が本発明に包含される。
【０１３２】
本特許出願は２０１５年７月３１日に出願した日本国特許出願第２０１５−１５２６５８号に基づきその優先権を主張するものであり、日本国特許出願第２０１５−１５２６５８号の全内容を本願に援用する。
【符号の説明】
【０１３３】
ＵＥ  ユーザ装置
ｅＮＢ  基地局
２０  データ通信量管理装置
１０１  ＤＬ信号送信部
１０２  ＵＬ信号受信部
１０３  データ通信量測定部
１０４  データ通信量格納部
１０５  データ通信量報告制御部
１０６  ＣＮ通信部
１５１  ＲＥモジュール
１５２  ＢＢ処理モジュール
１５３  装置制御モジュール
１５４  通信ＩＦ
２０１  データ通信量報告要求メッセージ送信部
２０２  データ通信量報告メッセージ受信部
２０３  データ通信量報告要求制御部
２０４  データ通信量格納部
２０５  課金制御部
２５１  ＣＰＵ
２５２  ＲＡＭ
２５３  ＲＯＭ
２５４  通信モジュール
２５５  補助記憶装置
２５６  入力装置
２５７  出力装置
【図１】
2017022388.tif 000003
【図２】
2017022388.tif 000004
【図３】
2017022388.tif 000005
【図４】
2017022388.tif 000006
【図５】
2017022388.tif 000007
【図６】
2017022388.tif 000008
【図７Ａ】
2017022388.tif 000009
【図７Ｂ】
2017022388.tif 000010
【図８Ａ】
2017022388.tif 000011
【図８Ｂ】
2017022388.tif 000012
【図９Ａ】
2017022388.tif 000013
【図９Ｂ】
2017022388.tif 000014
【図１０Ａ】
2017022388.tif 000015
【図１０Ｂ】
2017022388.tif 000016
【図１１】
2017022388.tif 000017
【図１２】
2017022388.tif 000018
【図１３】
2017022388.tif 000019
【図１４】
2017022388.tif 000020
【図１５】
2017022388.tif 000021
【図１６】
2017022388.tif 000022
【図１７】
2017022388.tif 000023
【図１８】
2017022388.tif 000024
【図１９】
2017022388.tif 000025
【図２０】
2017022388.tif 000026
【図２１】
2017022388.tif 000027
【図２２】
2017022388.tif 000028
【図２３】
2017022388.tif 000029
【図２４】
2017022388.tif 000030
【図２５】
2017022388.tif 000031
【国際調査報告】
2017022388.tif 000032
2017022388.tif 000033